(57)【要約】  本発明は、サービス解決サーバ（ＳＲＳ）によって端末デバイス（ＴＤ）にプロビジョニングされるべきサービスを解決するためのシステムに関する。端末デバイスは、通信ネットワーク（ＣＮ）を通じてサービス解決サーバに結合される。端末デバイスは、物または人に関連付けられた自動識別を読み取るための自動識別リーダ（ＡＲＰ）を備える。システムは、自動識別に関係付けられたコンテキスト情報を取り出すように構成されたコンテキスト取出し部（ＣＲＰ）、およびさらに、コンテキスト情報と組み合わされている自動識別に基づいて複数のサービスの中からプロビジョニングされるべきサービスを解決するように構成されたサービス解決部（ＳＲＰ）をさらに備える。
2012502523.tif 000002
【特許請求の範囲】
【請求項１】
サービス解決サーバ（ＳＲＳ）によって端末デバイス（ＴＤ）にプロビジョニングされるべきサービスを解決するためのシステムであって、前記端末デバイス（ＴＤ）が通信ネットワーク（ＣＮ）を通じて前記サービス解決サーバ（ＳＲＳ）に結合され、前記端末デバイス（ＴＤ）が、関連付けられた自動識別を読み取るための自動識別リーダ（ＡＲＰ）を備え、
ａ．コンテキスト情報を取り出すように構成されたコンテキスト取出し部と、
ｂ．前記コンテキスト情報と組み合わされている前記自動識別に基づいて複数のサービス中から前記サービスを解決するように構成されたサービス解決部（ＳＲＰ）と
をさらに備えることを特徴とする、システム。
【請求項２】
前記コンテキスト取出し部が、前記端末デバイス（ＴＤ）に配置され、前記端末デバイス（ＴＤ）のコンテキストに関連付けられたコンテキスト情報を取り出すように構成された第１のコンテキスト取出し部（ＣＲＰ）を備えることを特徴とする、請求項１に記載の端末デバイス（ＴＤ）にプロビジョニングするためのサービスを解決するためのシステム。
【請求項３】
前記コンテキスト取出し部が前記サービス解決サーバ（ＳＲＳ）に配置され、前記自動識別のコンテキストに関連付けられたコンテキスト情報を取り出すように構成された第２のコンテキスト取出し部（ＥＣＲＰ）をさらに備えることを特徴とする、請求項１または２に記載の端末デバイス（ＴＤ）にプロビジョニングするためのサービスを解決するためのシステム。
【請求項４】
前記システムが前記サービスを前記端末デバイス（ＴＤ）にプロビジョニングするように構成されたサービスプロビジョニング部（ＳＰ）をさらに備えることを特徴とする、請求項１から３のいずれかに記載の端末デバイスにプロビジョニングするためのサービスを解決するためのシステム。
【請求項５】
サービス解決サーバ（ＳＲＳ）によって端末デバイス（ＴＤ）にプロビジョニングされるべきサービスを解決するためのシステムにおいて使用する端末デバイス（ＴＤ）であって、前記端末デバイス（ＴＤ）が通信ネットワーク（ＣＮ）を通じて前記サービス解決サーバ（ＳＲＳ）に結合され、前記端末デバイス（ＴＤ）が、
ａ．関連付けられた自動識別を読み取るための自動識別リーダ（ＡＲＰ）を備え、前記端末デバイス（ＴＤ）が、
ｂ．前記端末デバイスのコンテキストに関連付けられたコンテキスト情報を取り出すように構成されたコンテキスト取出し部（ＥＣＲＰ）と、
ｃ．前記サービス解決サーバ（ＳＲＳ）に、前記自動識別に関係付けられた前記コンテキスト情報と共に、前記自動識別を送信するように構成された送信部（ＳＰ）と
をさらに備えることを特徴とする、端末デバイス（ＴＤ）。
【請求項６】
前記サービス解決サーバ（ＳＲＳ）によって端末デバイス（ＴＤ）にプロビジョニングされるべきサービスを解決するためのシステムにおいて使用するサービス解決サーバ（ＳＲＳ）であって、前記端末デバイス（ＴＤ）が通信ネットワーク（ＣＮ）を通じて前記サービス解決サーバ（ＳＲＳ）に結合され、前記サービス解決サーバ（ＳＲＳ）が、コンテキスト情報と組み合わされている前記端末デバイスによって取り出された自動識別に基づいて複数のサービスの中から前記サービスを解決するように構成されたサービス解決部（ＳＲＰ）を備えることを特徴とする、サービス解決サーバ（ＳＲＳ）。
【請求項７】
前記サービス解決サーバ（ＳＲＳ）が、前記端末デバイスから前記端末デバイス（ＴＤ）のコンテキストに関連付けられたコンテキスト情報と共に前記端末デバイスによって読み取られた自動識別を受信するように構成された受信部（ＲＰ）をさらに備えることを特徴とする、請求項６に記載のサービス解決サーバ（ＳＲＳ）。
【請求項８】
前記サービス解決サーバが、前記自動識別のコンテキストに関連付けられたコンテキスト情報を取り出すように構成された第２のコンテキスト取出し部（ＥＣＲＰ）をさらに備えることを特徴とする、請求項７に記載のサービス解決サーバ（ＳＲＳ）。
【発明の詳細な説明】
【技術分野】
【０００１】
本発明は、請求項１のプリアンブルによる端末デバイスにプロビジョニングされるべきサービスを解決するためのシステム、請求項５のプリアンブルによる端末デバイス、および請求項６のプリアンブルによるサービス解決サーバに関する。
【背景技術】
【０００２】
端末デバイスにプロビジョニングされるべきサービスを解決するためのそのようなシステムは、当技術分野ではすでによく知られている。
【０００３】
ＲＦＩＤタグ識別などの自動識別にタッチし、それに続いてそれを読み取ることによって、固定サービスが生じる、すなわち常に同一のサービスがプロビジョニングされる。
【０００４】
これは、現在の技術水準では、ＲＦＩＤタグ識別などの自動識別と、文書、ムービ、プレゼンテーション、写真などのようなデジタルコンテンツの配信またはプロビジョニングなどのサービスとの間の関連付けは、単一の固定したものしかできないということのためである。関連付けの解決機能は、タグ自体内、またはネットワーク内に配置されることが可能である。一実施例として：コークのボトルに付けられたＲＦＩＤタグがピクチャに関連付けられているとする。タグにタッチすると、常に同一のピクチャまたはムービ、例えばブランドＹのコーラのコマーシャルが現れる。
【０００５】
さらに、いくつかの特定の静的コンテキストトピックがＲＦＩＤタグと情報との関連付けを豊かにするために使用されるアプリケーションがすでに存在する。例えば、支払のために、（購入対象物を示す）ＲＦＩＤ識別子だけでなく、銀行口座の参照事項も支払サーバに送信される。しかし、送信されるコンテキスト情報は静的であり、我々の解決策の動的可能性を反映しない。
【０００６】
結果として、現在、サービスプロビジョニングが対象物に関連付けられた自動識別に基づくシステム内の端末デバイスへのサービスプロビジョニングを個人化することは不可能である。
【発明の概要】
【発明が解決しようとする課題】
【０００７】
本発明の一目的は、上記の知られているタイプのものであるが、ある種の自動識別に関係付けられたサービスをよりよく個人化することが可能である方法、システムおよび関連デバイスを提供することである。
【課題を解決するための手段】
【０００８】
本発明によれば、この目的は、請求項１に記載のシステム、請求項５に記載の端末デバイス、および請求項６に記載のサービス解決サーバによって達成される。
【０００９】
実際、コンテキスト情報が取り出されるということのために、解決部が、前記コンテキスト情報と組み合わされている前記自動識別に基づいて、複数のサービスの中から端末デバイスにプロビジョニングされるべき前記サービスを解決することができるようにするサービス。コンテキスト情報は、ユーザおよびアプリケーション自体を含めて、ユーザとアプリケーションとの間のインタラクションにとって適切とみなされるエンティティの状況（すなわち、人か、場所か、物か）を特徴づけるために使用されることが可能な任意の情報である。「コンテキストは、通常、場所、識別、ならびに、人々、グループ、計算対象物および物理的対象物の状態である」（Ｄｅｙ、Ａｂｏｗｄ＆Ｓａｌｂｅｒ、２００１：９７）。
【００１０】
したがって、コンテキスト情報は、サービス解決部が複数のサービスを区別し、自動識別を読み取る端末デバイスに関連付けられたユーザのコンテキストに最も適したサービスを解決することができるようにする。
【００１１】
自動識別は、物だけでなく、代替として人または動物にも関連付けられることが可能である一意のタグ識別である。
【００１２】
そのような自動識別の実施例は、ＲＦＩＤタグとも呼ばれる無線周波数識別タグのような任意のタグ、バーコードおよびマトリクスコード（例えばクイックレスポンスコード（ＱＲコード））である。
【００１３】
端末デバイスにプロビジョニングされるべきサービスは、ムービ、ピクチャ、またはサウンドラックなどのデジタルコンテンツを端末デバイスＴＤへ送信すること、電話呼をセットアップすること、ある種の支払をすること、付属スピーカによって画面上で自動識別に関連付けられた歌および／またはムービを再生することなどでよい。
【００１４】
ＲＦＩＤタグに関連付けられたデジタル情報は、コンテキスト依存である。解決は、リアルタイムで行われる。これは、コンテキストがソフトウェアセンサまたはハードウェアセンサからキャプチャされることが可能なので、必要とされる。さらに、環境からキャプチャされることが可能なコンテキスト情報もあれば、モバイルデバイスによってキャプチャされることが可能なコンテキスト情報もある。
【００１５】
これは、タグと関連付けられたコンテンツが、例えば時間、所在位置、ユーザ（１人または複数）プロフィール（１つまたは複数）、ユーザプレゼンス、天気、アプリケーションコンテキストに応じて異なる可能性があることを意味する。
【００１６】
本発明の他の特徴が請求項２および請求項７に記載されている。
【００１７】
コンテキスト取出し部は、前記端末デバイスに配置され、前記端末デバイスのコンテキストに関連付けられたコンテキスト情報を取り出すように構成された第１のコンテキスト取出し部を含む。そのようなコンテキスト情報は、温度、明るさ、加速度、（ＧＰＳの）位置、端末デバイスによって測定された雑音レベル、ブルートゥース通信を介しての（電話を持った）他の人々のプレゼンス、端末デバイスのユーザのユーザプロフィール、心拍数、血圧などのような端末デバイスのユーザの他の身体的パラメータでよく、全ての要素は、端末デバイスおよびそのユーザに関連付けられたコンテキストの適切な部分を特徴づけるように決められる。
【００１８】
代替として、このコンテキスト情報が端末デバイスを通る限り、端末デバイスのコンテキストを特徴づけるために外部センサが使用されてよい。この状況の一実施例は、（専用の）ＲＦＩＤタグに取り付けられたセンサのセットでもよい。（外部）センサ情報は、自動ＩＤ（ここではＲＦＩＤ）と共に端末デバイスに渡される。端末デバイスは、この（外部）センサ情報を、デバイスがそれをまさに「内部的に」集めたように扱う。一実施例は、缶内のコークの温度を測定するセンサを備えたコークの缶でもよい。このセンサは、コークの缶に埋め込まれたＲＦＩＤタグに取り付けられる。端末がＲＦＩＤを読み取ると、温度が自動ＩＤと共に送信される。次いで、端末デバイスＴＤがこのＩＤおよび温度情報を、まさにその情報が端末デバイスＴＤ自体の（取り付けられた）センサのうちの１つによって集められた情報であるかのように、受信部ＲＰに送信する。
【００１９】
自動識別に加えてこのコンテキスト情報を使用することにより、サーバは端末デバイスにプロビジョニングされるべきサービスをよりよくマッチングさせる、または仕立てることができるようになり、一方、端末デバイスのコンテキストは、端末デバイス内の少なくとも１つのセンサによってパラメータ化される、または端末デバイスに結合される。
【００２０】
本発明の他の特徴が、請求項３および請求項８に記載されている。
【００２１】
さらに、コンテキスト取出し部は、サービス解決サーバ内に配置され、またはそれに結合され、前記自動識別のコンテキストに関連付けられたコンテキスト情報を取り出すように構成された追加の第２のコンテキスト取出し部を備えてよい。この「第２のコンテキスト」は、自動ＩＤに関連付けられた物、動物、または人にとって適切であるが、端末デバイス自体によって検知されることが不可能な情報から成る。これは、例えば、そのタイプのコンテキストをキャプチャするためのセンサが存在しないか、またはそれらのセンサがモバイル端末上で（その時）利用不可能である場合である。
【００２２】
この第２のコンテキスト取出し部によって取り出されたコンテキスト情報は、物、人または動物に関連付けられた自動ＩＤに関係付けられたコンテキスト情報であり、この関連付けによってサーバが端末にプロビジョニングされるべきサービスをよりよくマッチングさせる、または仕立てることがさらによくできるようになることを特徴とする。
【００２３】
一実施例は、自動ＩＤおよび温度センサを備えたコーク缶でもよい。端末デバイスによって取り出された（そして受信部ＲＰに送信された）自動ＩＤおよび温度情報に基づいて、コンテキスト（ここでは温度）がコークを飲むのに適しているか否か、コークを冷蔵庫に入れたほうがいいなどを知らせるアドバイスが（例えば、ユーザの端末デバイス上の音声サービスへのテキストによって）与えられることも可能である。しかし、この実施例は、第２のコンテキストを考慮に入れることにより拡張されることも可能である。アドバイスは、例えば天気を考慮に入れることもできる。実によく晴れて暖かい天気の場合は、コークをもう少し冷やして飲むようにアドバイスすることもでき、曇りで寒い天気の場合は、この種の天気により適したその会社によって作られた別の飲み物を飲むようにアドバイスすることもできる。
【００２４】
他の実施例は、（実際には、小さな画面、および５メートルの距離から読み取られることが可能である自動ＩＤを備えたポールとして表される）バイシクラツアーノードに関連付けられた媒体でもよい。サイクリストが媒体を利用したいときは、ポールの近くに移動する。すると、サイクリストの端末デバイスが自動識別を読み取り、それを（その内部センサのうちの１つによって取り出された）明るさ情報と共に受信部ＲＰに送信する。次いで、サービス解決部ＳＲＳが、この一次コンテキストをポールから１５００メートルの範囲内の道路状況の情報（二次コンテキスト）と集約する。両方のコンテキストに応じて、それぞれ異なるムービがポールの画面上に示される。例えば、ポールから離れて教会へ行く道路の状況が悪く、あまり明るくない場合は、ユーザは、安全な道路を使用して到達することができる楽しいバーに行き、教会に行くにはよく晴れた日のうちに戻ってくるようにアドバイスされる。
【００２５】
第２のコンテキスト取出し部のみの利用形態は、サービスを解決するために自動識別だけが使用される我々の従来技術状況より有利な代替実施形態であるはずであることに留意されたい。
【００２６】
本発明の他の特徴が請求項４に記載されている。
【００２７】
本システムは、前記サービスを前記端末デバイスにプロビジョニングするように構成されたサービスプロビジョニング部をさらに備える。
【００２８】
端末デバイスにプロビジョニングされるべきサービスは、ムービ、ピクチャまたはサウンドトラックなどのデジタルコンテンツを端末デバイスＴＤへ送信すること、電話呼をセットアップすること、ある種の支払をすること、付属スピーカによって画面上で自動識別に関連付けられた歌および／またはムービを再生することでよい。
【００２９】
本特許請求の範囲において使用される「備える（ｃｏｍｐｒｉｓｉｎｇ）」という用語は、以下で列挙される手段に制限されると解釈されるべきではないことに留意されたい。「手段ＡおよびＢを備えたデバイス」という表現の範囲は、構成要素ＡおよびＢのみから成るデバイスに限定されるべきではない。これは、本発明に関して、デバイスの適切な構成要素のみがＡおよびＢであることを意味する。
【００３０】
同様に、やはり本特許請求の範囲において使用される「結合された（ｃｏｕｐｌｅｄ）」という用語は直接接続のみに制限されると解釈されるべきではないことに留意されたい。したがって、「デバイスＢに結合されたデバイスＡ」という表現の範囲は、デバイスＡの出力がデバイスＢの入力に直接接続されているデバイスまたはシステムに限定されるべきではない。これは、Ａの出力とＢの入力との間に、他のデバイスまたは手段を含む経路でよい経路が存在することを意味する。
【００３１】
本発明の上記のおよび他の目的は、添付の図面に関連して行われる実施形態の以下の説明を参照することによってより明らかになり、本発明自体が最もよく理解されるであろう。
【図面の簡単な説明】
【００３２】
【図１】本発明による端末デバイスにプロビジョニングされるべきサービスを解決するためのシステムの機能図である。
【発明を実施するための形態】
【００３３】
以下のパラグラフでは、図１の線画を参照しながら、本発明による方法の一実施形態が実行されるシステムが説明される。
【００３４】
第１のパラグラフでは、図におけるネットワークの要素が説明され、第２のパラグラフでは、全ての前述のネットワーク要素間の相互接続が定義される。続いて、図２において示されている前述のシステムの全ての適切な機能手段が説明され、その後に全ての相互接続が説明される。それに続くパラグラフでは、端末デバイスにプロビジョニングされるべきサービスを解決するためのシステムの実際の実施形態が開示される。本発明によるシステムは、ＲＦＩＤ対応電話、携帯情報端末、および場合によってはさらに自動識別リーダを有する固定通信デバイスでよい端末デバイスＴＤを含む。自動識別リーダは、無線周波数識別リーダでも、または他のいかなるタグリーダでもよい。システムは、端末デバイスにプロビジョニングするためのサービスを解決するように構成されたサービス解決サーバＳＲＳをさらに備える。
【００３５】
システムは、端末デバイスＴＤとサービス解決サーバＳＲＳを結合する移動または固定電話通信ネットワーク、ボイスオーバＩＰネットワーク、またはＧＳＭ、ＣＤＭＡのような通信ネットワークＣＮをさらに備える。
【００３６】
端末デバイスＴＤは、第１に、関連付けられた自動識別を読み取るための自動識別読み取り部ＡＲＰ、端末デバイスＴＤのコンテキストに関連付けられたコンテキスト情報を取り出すように構成されたコンテキスト取出し部ＣＲＰを備える。
【００３７】
コンテキスト取出し部ＣＲＰは、コンテキストを判定するためのセンサでも、またはセンサのセットでもよく、センサまたはセンサのセットは、端末デバイスに組み込まれる。代替として、センサまたはセンサのセットは、端末デバイスＴＤの外部に配置される。そのような外部センサまたはセンサのセットは、ブルートゥース、ジグビー、赤外線、ＷＩＦＩのようなモバイル接続を通じて端末デバイスに結合されてもよく、ＲＦＩＤ技術を使用するときは自動識別と共に読み取られてもよい。
【００３８】
さらに、読み取られた自動識別と取り出されたコンテキスト情報を結合し、それらをメッセージでサービス解決サーバに転送することができる処理部ＰＰがある。最後に、前記自動識別に関係付けられたコンテキスト情報と共に自動識別を前記サービス解決サーバＳＲＳに送信するように構成された送信部ＳＰがある。送信部ＳＰは、ｈｔｔｐ要求をサービス解決サーバＳＲＳへ送信するクライアントアプリケーションとして実施されることが可能であり、この要求は、自動識別に関係付けられたコンテキスト情報と共に結合された自動識別を含んでよい。その場合、処理部は、自動識別を自動識別に関係付けられたコンテキスト情報と結合するアプリケーションでよい。
【００３９】
関連付けられたデバイスのコンテキストに関連付けられたそのようなコンテキスト情報は、ユーザの識別、まわりの人々の識別、ユーザプロフィール、天気、アプリケーションコンテキスト、温度、端末デバイスＴＤのユーザの心拍でよい。
【００４０】
端末デバイスＴＤの自動識別リーダＡＲＰおよびコンテキスト取出し部ＣＲＰの両方は、処理部ＰＰの入力への出力と結合され、この出力はさらに送信部ＳＰに結合される。送信部は、同時に端末デバイスＴＤの出力端子である出力端子を有する。
【００４１】
サービス解決サーバＳＲＳは、第１に、端末デバイスから転送された前記端末デバイスＴＤのコンテキストに関連付けられたコンテキスト情報と共に前記端末デバイスによって読み出された自動識別を受信するように構成された受信部ＲＰを備える。コンテキスト情報と共に前記端末デバイスによって読み取られた自動識別は、情報を端末デバイスからサービス解決サーバＳＲＳに伝送するためにｈｔｔｐ要求に組み込まれることが可能である。
【００４２】
受信部は、前記端末デバイスＴＤのコンテキストに関連付けられたコンテキスト情報と共に前記端末デバイスによって読み取られた自動識別をサービス解決部ＳＲＳへ転送するようにさらに構成される。
【００４３】
さらに、サービス解決サーバＳＲＳは、端末デバイスのコンテキストに関連付けられたコンテキスト情報と組み合わされている前記端末デバイスによって取り出された自動識別、およびこのコンテキスト情報の解釈に基づいて、複数のサービスの中から端末デバイスＴＤにプロビジョニングされるべきサービスを解決するように構成されたサービス解決部ＳＲＰを備える。
【００４４】
ＳＲＰの様々な可能な実施形態があるが、それらの大部分は２つの大きな構成要素から成る。第１のものは、全てのコンテキスト情報（一次コンテキストならびに二次コンテキスト）を集約するナレッジベース／データベースである。多くの最近のナレッジベースは、コンテキストをモデル化するためにＷｅｂリソース記述言語（ＲＤＦ）およびオントロジ言語（ＯＷＬ）のようなセマンティックモデルを使用する。しかし、それらはまた、（Ｄｒｏｏｌｓにおけるような）Ｊａｖａオブジェクト、ファクト（プロログ）などとしてモデル化されることが可能である。ナレッジベースは、我々の解決策では、端末デバイスに（外部的に）取り付けられたセンサから取り出された自動識別を取り巻くコンテキストだけでなく、第２のコンテキスト取出し部ＥＣ−ＲＰから取り出されたコンテキストをも含む。第２の構成要素、推論器は、推論するためにこのコンテキストナレッジを使用する。例えば、コンテキストの条件（例えば、コークボトル温度＞９２Ｆで曇り）が満たされているかどうかを推論器に問い合わせることが可能である。この推論に基づいて、デジタルコンテンツが返されることが可能である。一定のコンテキスト条件が満たされると自動的にサービスをトリガすることを可能にする推論器もある。その場合、｛ａｕｔｏ−ｉｄ、一次コンテキスト、二次コンテキスト｝の間の関連付けが、ルールとして形式化されることが可能である。その場合、これらのルールは次のフォーマットを有する：条件（１つまたは複数）→サービストリガ。
【００４５】
さらに、サービス解決サーバは、自動識別のコンテキストに関するコンテキスト情報を取り出すように構成された二次コンテキスト取出し部（ＥＣＲＰ）を備える。
【００４６】
二次コンテキストの例は次の通りである：自動識別の所在位置における天気、ａｕｔｏ−ｉｄを備えた彫像のまわりの道路状況、交通情報、放射線情報、外部データベース内またはＷｅｂ上に記憶されているユーザプロフィール、および自動ＩＤに関連付けられた物、動物または人にとって適切なコンテキスト情報を配信することができるあらゆる種類の公開または専用Ｗｅｂサービス。
【００４７】
次いで、サービス解決サーバは、サービスを前記端末デバイスＴＤにプロビジョニングするように構成されたサービスプロビジョニング部ＳＰを備える。
【００４８】
そのようなサービスは、ムービ、ピクチャ、またはサウンドトラックなどのデジタルコンテンツを端末デバイスＴＤへ送信すること、電話呼をセットアップすること、ある種の支払を行うこと、付属スピーカによって画面上で自動識別に関連付けられた歌および／またはムービを再生することでよい。
【００４９】
サービス解決サーバＳＲＳの受信部ＲＰは、同時にサービス解決デバイスＳＲＳの入力端子である入力端子を有する。受信部ＲＰは、サービス解決部ＳＲＰの入力への出力と結合される。次に、サービス解決部ＳＲＰは、第２のコンテキスト取出し部ＥＣＲＰの出力端子への入力端子と結合される。サービス解決部ＳＲＰは、サービスプロビジョニング部ＳＰの入力に結合された出力端子をさらに有する。
【００５０】
第１の実施形態において本発明の実際の動作を説明するために、人々が南フランスのぶどう園の小道を通ることができると仮定する。この小道の様々な場所には、小さなポールがあり、これらの各ポールにＲＦＩＤタグが関連付けられている。そのようなＲＦＩＤタグ（自動識別）は、ＲＦＩＦタグと、例えばスマートフォンに組み込まれているＲＦＩＤタグリーダとの間の約５メートルの距離から読み取られることが可能である。ユーザがポールに沿って走っているか歩いているかということに応じて、それぞれ異なる情報がユーザのモバイル上に表示される。
【００５１】
これを可能にするために、ＲＦＩＤタグ識別がスマートフォンに関連付けられたコンテキスト情報と共に送信される。スマートフォンは、電話のユーザの歩く速度を示すユーザの１分ごとの歩数を測定するための加速度計および身体状態の測定手段としての心拍センサをさらに含む。この情報、すなわち歩く速度および心拍数は、ＲＦＩＤタグ識別と共にサービス解決サーバＳＲＳへ送信され、サービス解決サーバＳＲＳは、このデータを解釈し、ＲＦＩＤタグ識別に基づいて小道上のポールを判定し、歩く速度および心拍数が比較的高いことに気付く。さらに、サービス解決サーバＳＲＳは、コンテキスト取出し部ＥＣＲＰによって小道上の前述のポールに関するコンテキスト情報を取り出し、このコンテキスト情報は、例えば、現在小道上で小道の表面の改修工事が進行中であるということでよい。したがって、道に大きな穴や、注意することを必要とする他の状況がある可能性がある。さらに、特に一年のこの時期の間は、ぶどうの状態を見ることが非常に興味深いという状況である。
【００５２】
サービス解決サーバＳＲＳは、前述のコンテキスト情報と共に前述のＲＦＩＤタグ識別を取り出し、それに続いて情報を解釈する。全てのこのコンテキスト情報に基づいて、例えば、ユーザの心拍数が高く、歩く速度が高い場合は、サービス解決サーバＳＲＳは、ユーザが走っていると断定し、このユーザは、ユーザに小道の状態を示し転ばないように足元に注意するように忠告するそのユーザのスマートフォン上の音声メッセージである警告サービスを必要とする可能性があると判定することができる。
【００５３】
この走っている状況では、ユーザは、ぶどうの成長サイクルに関するムービのような観光情報に興味がない可能性がある。
【００５４】
代替として、サービス解決サーバＳＲＳが前述のコンテキスト情報と共に前述のＲＦＩＤタグ識別を取り出し、それに続いて情報を解釈する。全てのこのコンテキスト情報に基づいて、例えばユーザの心拍数が比較的低く、歩く速度も比較的低い場合は、サービス解決サーバＳＲＳは、ユーザが観光で歩いており、ぶどう園の環境に非常に興味があると断定し、このユーザは、スマートフォンにプロビジョニングされるビデオサービスに興味がある可能性があると判定することができ、それに続いて、サービスプロビジョニング部によって、ユーザのスマートフォンにおけるプレゼンテーションのためのぶどうの成長サイクルを説明するビデオをユーザのスマートフォンへ送信する。
【００５５】
ここで、この実施形態では、サービス解決サーバＳＲＳは、サーバによって取り出されたコンテキスト情報によって特徴づけられた様々な状況にいる同一のユーザに様々なサービスを提供する。
【００５６】
第２の実施形態において本発明の実際の動作を説明するために、アントワープ市がグランドマーケットにコンテキストが分かる情報彫像を建てることを決定したと仮定する。人々は、自分のＲＦＩＤ対応モバイルで（やはりＲＦＩＤタグを備えた）彫像にタッチして、アントワープ市についての情報およびコマーシャルを取り出すことができる。この情報は、彫像に埋め込まれた大画面上に表示され、彫像のまわりに立っている人々の数によって変わる。
【００５７】
したがって、読み取られたＲＦＩＤタグは、現在彫像のまわりにいる人々の数であるコンテキスト情報と共に転送される。ここでは、ユーザのモバイルフォンは、ブルートゥースインターフェースによってすぐ近くの環境内のモバイルフォンの数を検知する。彫像の前に６個以上のモバイルフォンがあることが検知される。したがって、ユーザのモバイルフォンは、彫像の前の人々の数（５）と共にＲＦＩＤタグを転送する。データは、サービス解決サーバＳＲＳのサービス解決部ＳＲＰへ転送される。次いで、サービス解決部ＳＲＰは、彫像の前に４人以上の人々がおり、そのため、アントワープについてのコンテンツアイテムを彫像の前にいるその他の人々のモバイルフォンの個別の画面に送信するのではなく、大画面へ送信するほうが彼らにとってより好都合になるので、アントワープについてのコンテンツアイテムを彫像の大画面へ転送することを決める（もちろん、彼らもＲＦＩＤタグを読み取ると仮定する）。
【００５８】
第３の実施形態において本発明の実際の動作を説明するために、ジャンが自分のＲＦＩＤ対応モバイルフォンを持って町を歩いていると仮定する。突然彼を引きつけるモニュメントが目に入る。彼は、この彫像についてのさらなる情報を取得しようと決める。彼がモニュメントに取り付けられたタグにタッチすると、音楽が再生され始め、以前このモニュメントを訪れた彼の２人の友人、マルクとシグルドのメッセージが現れる。
【００５９】
この場合は、ＲＦＩＤタグ識別が、ジャンのモバイルフォンに関連付けられたコンテキスト情報と共に送信される。この電話は、ジャンのアイデンティティおよびジャンの友人マルクとシグルドのアイデンティティを示すジャンのユーザプロフィールをさらに含む。この情報、すなわちジャンのアイデンティティおよびジャンの友人のアイデンティティは、彫像に関連付けられたタグのＲＦＩＤタグ識別と共に、電話の送信部によってサービス解決サーバＳＲＳへ転送され、サービス解決サーバＳＲＳは、このデータを解釈し、ＲＦＩＤタグ識別に基づいて、関係彫像を判定し、ジャンのアイデンティティおよびジャンの友人のアイデンティティに基づいて、配信されるべきサービス、すなわち過去に彫像を訪れたことがある彼の友人、マルクおよびシグルドのムービを見つける。
【００６０】
二日後に、アンが同一の彫像のそばを通り、やはりタグにタッチする。これは同一のタグであるが、異なる歌が再生され始め、アンは、１２年前にその彫像を訪れた自分の両親のスライドショーを取得する。
【００６１】
この状況では、アンのＲＦＩＤタグ識別がアンのモバイルフォンに関連付けられたコンテキスト情報と共に送信される。この電話は、もちろん彼女の両親を含む彼女の家族のアイデンティティを示すジャンのユーザプロフィールをさらに含む。この情報、すなわち彼女の家族のアイデンティティは、彫像に関連付けられたタグのＲＦＩＤタグ識別と共に、電話の送信部によってサービス解決サーバＳＲＳへ転送され、サービス解決サーバＳＲＳは、このデータを解釈し、ＲＦＩＤタグ識別に基づいて、関係彫像を判定し、アンのアイデンティティおよびアンの家族のアイデンティティに基づいて、配信されるべきサービス、すなわち関連付けられた音楽付きの彼女の家族のピクチャのプレゼンテーションを見つける。次いで、サービス解決サーバは、サービスプロビジョニング部によって、音楽付きのプレゼンテーションをアンの電話へ転送する、またはそのプレゼンテーションを彫像のそばの画像において表示する。
【００６２】
他の実施形態において本発明の実際の動作を説明するために、コーラメーカのようなドリンクメーカの一対象物が、コーラ愛飲者に対するよりよい使用のためのフィードバック、およびコーラ缶内の検温器による埋込みＲＦＩＤタグ識別を配信するものと仮定する。ユーザが自分のモバイルでタグにタッチすると、タグのＩＤ＋缶の中のコカコーラの温度がユーザのモバイルに渡され、サービスプロビジョニングサーバＳＲＳに転送される。コークの温度（コンテキスト）に応じて、サービスがユーザのモバイルフォンにプロビジョニングされ、この場合、様々なメッセージであるサービスがユーザのモバイルに送信される。例えば、測定された温度が摂氏１０度以上の場合は、「コーラを飲む前にしばらくの間冷蔵庫に入れてください」、温度が摂氏５度から９度までの範囲にある場合は、「このまま飲めます。お楽しみください」、温度が摂氏５度未満である場合は、「アイスクリームを楽しむ場合のみ、飲んでください」。
【００６３】
このシナリオでは、温度センサは、モバイルフォンに配置されているのではなく、電話の外部、すなわち缶内に配置されており、この場合、コンテキスト情報は、モバイルによって配信されるのではなく、ＲＦＩＤ情報と一緒に着信する。さらに、または代替として、サービス解決サーバＳＲＳは、現在の天気、具体的には現在の戸外の温度のような追加のコンテキスト情報を取り出すことができ、例えば寒い天気であるコンテキスト全体の解釈においてこの現在の戸外の温度を使用することができ、プロビジョニングされるサービスは、ユーザのモバイルに送信される様々なメッセージでよい。例えば、測定された温度が摂氏１３度以上の場合は、「コーラを飲む前にしばらくの間冷蔵庫に入れてください」、温度が摂氏８度から１２度までの範囲にある場合は、「このまま飲めます。お楽しみください」、温度が摂氏７度未満である場合は、「アイスクリームを楽しむ場合のみ、飲んでください」。
【００６４】
ここでは、この実施形態において、サービス解決サーバＳＲＳは、サーバによって取り出されたコンテキスト情報によって特徴づけられた様々な状況にいる同一のユーザに様々なサービスを提供し、ここでは、コンテキスト情報は、ドリンクの温度および戸外の温度である。ホットドリンクのような別のドリンクの場合は、コンテキストは全く異なると解釈され、その結果、異なるサービスがプロビジョニングされることになることに留意されたい。
【００６５】
他の実施例は、（実際には、小さな画面および５メートルの距離から読み取られることが可能であるａｕｔｏ−ｉｄを備えたポールとして表される）バイシクラツアーノードに関連付けられた媒体でもよい。サイクリストは、媒体を利用したいと思う場合は、ポールの近くに移動する。次いで、サイクリストの端末デバイスが自動識別を読み取り、それを（その内部センサの１つによって取り出された）明るさ情報と共に受信部ＲＰに送信する。次いで、サービス解決部ＳＲＳが、この一次コンテキストを、ポールから１５００メートルの範囲内の道路状況の情報（二次コンテキスト）と共に集約する。両方のコンテキストに応じて、それぞれ異なるムービがポールの画面上に示される。例えば、ポールから離れて教会へ行く道路の状況が悪く、あまり明るくない場合は、ユーザは、安全な道路を使用して到達することができる楽しいバーに行き、教会に行くにはよく晴れた日のうちに戻ってくるようにアドバイスされる。
【００６６】
最後に、本発明の実施形態は、上記では機能ブロックの点から説明されていることが留意される。上記でプロビジョニングされたこれらのブロックの機能説明から、これらのブロックの実施形態が、よく知られている電子部品を使用してどのように製造されるかということがこれらのブロックの電子デバイスを設計する当業者には明らかであろう。したがって、機能ブロックのコンテンツの詳細なアーキテクチャは提供されない。
【００６７】
本発明の原理は、上記では特定の装置に関連して説明されてきたが、本明細書は、単に実施例として作成されたものであり、添付の特許請求の範囲に記載された本発明の範囲を限定するものではないことをはっきり理解されたい。
【図１】
2012502523.tif 000003
【国際調査報告】
2012502523.tif 000004
2012502523.tif 000005
2012502523.tif 000006